(57)【特許請求の範囲】
【請求項１】
入賞口を開閉する開閉扉と、
往復動可能な駆動源と、
前記駆動源の動きに連動して直線的に往復動可能なスライドプレートと、
前記スライドプレートに後記連結手段を介して連結可能とされ、連結時に該スライドプレートの往復動に応じて固定位置を中心として揺動し、前記開閉扉を開閉動作させる回動プレートと、
前記スライドプレートの往復動作を前記回動プレートの揺動動作に変換伝達し得る連結手段と、
前記開閉扉の全閉時、前記両プレートの相対的位置に基づいて前記回動プレートをロック可能にするロック手段と、
を備え、
全閉状態にある開閉扉に対して外部から開方向への力が作用したとき、前記ロック手段により前記回動プレートの回動が阻止され、
また、全閉状態にある前記開閉扉が、前記スライドプレートの作動が契機となる動作によって全開状態へと移行する初期期間に、前記連結手段は前記両プレート間を非連結状態に保ち、前記スライドプレートが移動して前記両プレートの相対的位置が変位することによって前記ロック手段のロック機能が解除され、この初期期間経過後、前記連結手段は前記両プレート間を連結し、前記スライドプレートのさらなる移動により前記回動プレートは回動を開始して前記開閉扉が全開し、
また、前記ロック手段は、前記スライドプレートに設けられた係合部と、前記回動プレートに設けられた係合部とからなり、前記スライドプレートの前記係合部は、前記回動プレートの前記係合部のロック解除方向側に配置され、前記回動プレートのロック解除方向への回動を阻止する
ことを特徴とする可変入賞装置の防犯機構。
【請求項２】
請求項１において、前記両プレートは重なり合うように配されていることを特徴とする可変入賞装置の防犯機構。
【請求項３】
請求項２において、前記連結手段は、前記二つのプレートのうちの一方のプレートに設けられた連結用長穴と他方のプレートに立設され該連結用長穴内に移動可能に収容される連結用突起部とからなることを特徴とする可変入賞装置の防犯機構。
【請求項４】
請求項１〜３のいずれかにおいて、前記スライドプレートは、前記開閉扉の全閉時に外部から操作力を受けると当該スライドプレートを移動可能にするロック強制解除部を有することを特徴とする可変入賞装置の防犯機構。
【請求項５】
請求項４において、前記ロック強制解除部は、前記開閉扉の近傍に穿設した挿通孔と、細長状の操作棒を前面から該挿通孔に挿入して操作棒の先端を当接させることにより前記スライドプレートをロック解除方向へ摺動可能な傾斜面とにより構成されることを特徴とする可変入賞装置の防犯機構。
【発明の詳細な説明】
【０００１】
【発明の属する技術分野】
本発明は、可変入賞装置の防犯機構、詳しくは、パチンコ遊技機において可変入賞装置の開閉扉を外部操作によって無理やり開き、この開状態の入賞口に遊技球を入れて賞球（出玉）を不当に獲得する不正行為を防止するための可変入賞装置の防犯機構に関する。
【０００２】
【従来の技術】
従来から、パチンコ遊技機として、特定の入賞口に可変入賞装置を備えるタイプのものがある。
【０００３】
可変入賞装置は、通常、電気駆動装置（一般には電磁ソレノイド）が作動していないときには開閉扉を全閉状態に保って遊技球が入賞口に入らないようにし、また、電磁ソレノイドを作動させることによって開閉扉を開動作させて入賞口を開き、遊技球が入賞口に入り易くなるようにする。
【０００４】
【発明が解決しようとする課題】
しかし、図６（Ａ）に示すように、電磁ソレノイド（図示せず）が作動していないときに、不正行為者が外部からピアノ線やセル板等の不正道具５０を遊技盤（図示せず）の盤面とガラス板（図示せず）との間に侵入させて開閉扉２に引っ掛け、図６（Ｂ）に示すように、開閉扉２を無理やりに開けてこの入賞口６に遊技球６０を入れ、賞球を不当に獲得する不正行為が行われる場合があり、このような不正行為が行われるとホール側は多大な損害を蒙ることになる。
【０００５】
本発明は、このような不正行為の防止策として案出されたものであり、外部から可変入賞装置の開閉扉を開けようとしても開閉扉が開かず不正行為を防止することができる可変入賞装置の防犯機構を提供することを目的としている。なお、この種の防犯機構に関する従来からの提案として、例えば、実公平４−３１１１０号公報、特開平１０−２２５５５５号公報に記載のものがある。
【０００６】
【課題を解決するための手段】
本発明による可変入賞装置の防犯機構は、入賞口を開閉する開閉扉と、往復動可能な駆動源と、前記駆動源の動きに連動して直線的に往復動可能なスライドプレートと、前記スライドプレートに後記連結手段を介して連結可能とされ、連結時に該スライドプレートの往復動に応じて固定位置を中心として揺動し、前記開閉扉を開閉動作させる回動プレートと、前記スライドプレートの往復動作を前記回動プレートの揺動動作に変換伝達し得る連結手段と、前記開閉扉の全閉時、前記両プレートの相対的位置に基づいて前記回動プレートをロック可能にするロック手段とを備え、全閉状態にある開閉扉に対して外部から開方向への力が作用したとき、前記ロック手段により前記回動プレートの回動が阻止され、また、全閉状態にある前記開閉扉が、前記スライドプレートの作動が契機となる動作によって全開状態へと移行する初期期間に、前記連結手段は前記両プレート間を非連結状態に保ち、前記スライドプレートが移動して前記両プレートの相対的位置が変位することによって前記ロック手段のロック機能が解除され、この初期期間経過後、前記連結手段は前記両プレート間を連結し、前記スライドプレートのさらなる移動により前記回動プレートは回動を開始して前記開閉扉が全開し、また、前記ロック手段は、前記スライドプレートに設けられた係合部と、前記回動プレートに設けられた係合部とからなり、前記スライドプレートの前記係合部は、前記回動プレートの前記係合部のロック解除方向側に配置され、前記回動プレートのロック解除方向への回動を阻止することを特徴とする。
【０００７】
本発明によると、全閉状態にある開閉扉に外部から開方向への力が作用しても、ロック手段によって回動プレートの回動が阻止されるため、開閉扉は開かない。一方、通常の動作によって開閉扉を開ける際には、その初期期間にロック手段のロック機能が解除され、その後、回動プレートが回動を開始して開閉扉が開くため、開閉扉を通常通りに開けることができる。また、ロック手段は、スライドプレートに設けられた係合部と、回動プレートに設けられた係合部とからなり、スライドプレートの係合部は、回動プレートの係合部のロック解除方向側に配置され、回動プレートのロック解除方向への回動を阻止するよう構成されるため、ロック手段を両プレートとは別体に設ける場合と比べ、部品点数の減少を図ることができる。
【０００８】
ここで、前記両プレートは重なり合うように配されることが、装置の小型化を図る上で好ましい。
【０００９】
また、前記連結手段は、前記二つのプレートのうちの一方のプレートに設けられた連結用長穴と他方のプレートに立設され該連結用長穴内に移動可能に収容される連結用突起部とからなるよう構成することにより、連結手段を両プレートとは別体に設ける場合に比べ、部品点数の減少を図ることができる。
【００１１】
また、前記スライドプレートは、前記開閉扉の全閉時に外部から操作力を受けると当該スライドプレートを移動可能にするロック強制解除部を有するよう構成することにより、大入賞口内での球詰まりやノーカウントエラー（大当たり中に大入賞口が開いているにもかかわらず、遊技球が１つも入球しなかった場合）が発生したときの対応として通常行われるホールの店員の行為、即ち、遊技盤の前面のガラス板を開け、開閉扉を強制的に開けて球詰まりを解消したり、エラー状態から復帰させるために遊技球を大入賞口に入れて、その後の遊技を続行可能にする行為が可能になる。
【００１２】
ここで、前記ロック強制解除部を、前記開閉扉の近傍に穿設した挿通孔と、細長状の操作棒を前面から該挿通孔に挿入して操作棒の先端を当接させることにより前記スライドプレートをロック解除方向へ摺動可能な傾斜面とにより構成することにより、操作棒で傾斜面を押すことによってスライドプレートの係合部を元の位置（回動プレートの係合部のロック解除方向側の位置）から変位させることが可能になり、これにより回動プレートの係合部のロック解除方向への回動が可能となり、ロック状態を解除することができる。
【００１３】
【発明の実施の形態】
以下、本発明の一実施形態を図面に基づいて説明する。
【００１４】
図１は、一実施形態に係る可変入賞装置の要部の背面図であり、図１（Ａ）は、開閉扉の全閉時に対応する背面図、図１（Ｂ）は、開閉扉の全開時に対応する背面図をそれぞれ示す。図２は、上記可変入賞装置の要部の分解斜視図、図３は、上記可変入賞装置の通常の一連の動作を説明するための動作説明図、図４は、上記可変入賞装置に対し不正行為が行われたときの動作説明図、図５は、ロック強制解除部の動作を説明するための要部斜視図をそれぞれ示す。なお、以下の説明における上下方向、左右方向及び前後方向（表裏）の決め方は、パチンコ機を主体として決めている。
【００１５】
本実施形態に係る可変入賞装置は、ハウジング１に開閉扉２、駆動源３（本実施形態では電磁ソレノイドである。）、スライドプレート４、回動プレート５などを組み付けて構成される。
【００１６】
ハウジング１は、入賞口６（本実施形態では大入賞口である。図１参照）を形成する入賞口形成枠部７を有している。なお、大入賞口６は、遊技盤（図示せず）の盤面と略面一になるよう配される。また、ハウジング１は、スライドプレート４、回動プレート５などを収容する凹部８（図２）を有している。凹部８は、後方に向かって開口しており、凹部８の底面（後面）の左部には、回動プレート用軸部９及び一対のリターンばね用係止リブ部１０、１０が垂直に設けられている。
【００１７】
開閉扉２は、左右下縁部にそれぞれ左右方向に水平な回動軸部１１を有し、これらの回動軸部１１は、ハウジング１の大入賞口６の周縁部において回動自在に軸支されている。したがって、開閉扉２は、回動軸部１１を中心として前後方向へ揺動可能とされ、後方への回動によって大入賞口６を閉じて大入賞口６に遊技球が入らないようにし、また前方への回動によって大入賞口６を開いて大入賞口６に遊技球が入り易くする。ここで、開閉扉２の全開状態は、ハウジング１の入賞口形成枠部７のストッパー面１２に後述する受動ロッド部１４が当接することによって定まる。なお、大入賞口６に入った遊技球は、遊技盤の裏面側に導かれ、賞球払出装置（図示せず）が作動する。
【００１８】
開閉扉２の前面の左右端部には、それぞれ錘部１３、１３（図１、図５）が前方へ突出して形成されている。これらの錘部１３、１３は、その自重により、開閉扉２を回動軸部１１を中心として前方へ回動させる、換言すると開閉扉２を開放させる付勢力を生み出している。
【００１９】
開閉扉２の左端部又は右端部において回動軸部１１よりも後方の位置に、受動ロッド部１４が大入賞口６の左右外方向に向かって設けられている。この受動ロッド部１４は、回動軸部１１に対し平行である。
【００２０】
電磁ソレノイド３は、本体部１５とプランジャー１６とプランジャー用リターンばね（コイルばね）１７とを備える。
【００２１】
電磁ソレノイド３の本体部１５は、スライドプレート４の後方位置でハウジング１に固定されている。本体部１５は、図示しないが中空ボビンとこのボビンに巻回されたコイルとを備えて構成される。ボビンの中空部１５ａ（図２）の軸線方向は、左右方向かつ水平方向と一致している。
【００２２】
電磁ソレノイド３のプランジャー１６は、磁性体からなり、ボビンの中空部１５ａに大入賞口６側から部分的に挿通されている。プランジャー１６は、コイルが励磁されると、その磁気吸引力によってボビンの中空部１５ａ深くに進入（後退）するよう動作する。プランジャー１６の先端部は円板状のフランジ部１８からなり、このフランジ部１８は、後述するスライドプレート４の凹部２５（図２）に係止されてプランジャー１６とスライドプレート４とを連結させている。
【００２３】
電磁ソレノイド３のプランジャー用リターンばね１７は、電磁ソレノイド３の本体部１５とプランジャー１６のフランジ部１８との間に装着されており、プランジャー１６に対し常に前進方向の付勢力を加えており、スライドプレート４を大入賞口６側に向けて付勢している。
【００２４】
スライドプレート４は、上辺と下辺が平行な略四角形板状の基部１９と、この基部１９の右端部から後方に略垂直に延設された壁部２０（図２）とから構成されている。スライドプレート４は、左右方向かつ水平方向に直線的に往復動可能なようにハウジング１の凹部８に収容されている。
【００２５】
スライドプレート４の基部１９の上下左右の四つのコーナー部のうち受動ロッド部１４と対向する右下コーナー部には、係合部２１が設けられている。係合部２１は、本実施形態では、略長方形状に切欠かれた切欠部によって構成されている。この切欠部２１には、後述する回動プレート５の係合部（ロック用リブ部）２２が収容可能とされる。
【００２６】
スライドプレート４の基部１９の左下コーナー部付近には、左右方向かつ水平方向に長いガイド孔２３が形成されている。このガイド孔２３には、ハウジング１の凹部８の回動プレート用軸部９が挿通されており、この回動プレート用軸部９は、相対的にガイド孔２３内を長手方向に移動可能とされている。
【００２７】
スライドプレート４の基部１９の左上コーナー部付近には、左右方向かつ水平方向に長い連結用長穴２４が形成されている。この連結用長穴２４の長手方向寸法は、ガイド孔２３よりも小さく設定されている。この連結用長穴２４には、後述する回動プレート５の連結用リブ部３１が挿通されている。この連結用リブ部３１は、相対的に連結用長穴２４内を長手方向に移動可能とされている。
【００２８】
スライドプレート４の壁部２０は、電磁ソレノイド３のプランジャー１６のフランジ部１８を収容し係止する凹部２５（図２）を有している。また、壁部２０は、前面にロック強制解除部２６（本実施形態では傾斜面である。図２参照）を有している。この傾斜面２６は、遊技盤の盤面と鋭角をなす鉛直面により構成されている。傾斜面２６は、ホールの店員が全閉状態にある開閉扉２を強制的に開けたいときに利用され、後述するように、遊技盤の前面から操作棒４０の先端部を傾斜面２６に押し当ててスライドプレートを左方向へ移動させることによってロック状態が解除される。ここで、操作棒４０の先端部は、大入賞口６の前方の前面プレート４１の貫通孔４２、及び入賞口形成枠部７に形成された貫通孔４３を順に通って傾斜面２６と当接する。
【００２９】
回動プレート５は、略直角三角形板状に形成されている。回動プレート５の後面の左下コーナー部には、ボス部２７（図２）が設けられている。ボス部２７は、前後方向の貫通孔２８を有しており、この貫通孔２８にハウジング１の回動プレート用軸部９が挿通され、回動プレート５は回動プレート用軸部９を中心として揺動可能とされている。
【００３０】
回動プレート５の後面の右下コーナー部には、係合部２２（本実施形態ではロック用リブ部である。）が後方に向かって立設されている。ロック用リブ部２２は、上記のように、開閉扉２の全閉時には、スライドプレート４の切欠部２１に収容されている。
【００３１】
回動プレート５の後面の右下コーナー部には、ロック用リブ部２２の右隣に駆動ロッド部３０が後方に向かって立設されている。駆動ロッド部３０は、開閉扉２の受動ロッド部１４に上方から当接しており、駆動ロッド部３０が下端位置にあるとき受動ロッド部１４は下端位置にあり、開閉扉２は全閉状態となる。そして、この下端位置から駆動ロッド部３０が上昇すると、受動ロッド部１４が上昇可能となり、開閉扉２の錘部１３の付勢力によって開閉扉２が前方へ回動し開いてゆく。
【００３２】
回動プレート５の後面の上コーナー部には、連結用リブ部３１（連結用突起部）が後方に向かって立設されている。連結用リブ部３１は、上記のように、スライドプレート４の連結用長穴２４内に挿通されている。
【００３３】
回動プレート５の後面の左部には、回動プレート用リターンばね３２（本実施形態では捻りコイルばねであるが、その他に板ばね等の弾性力を有するものでもよい。）の右端部３３を係止するリターンばね用係止リブ部３４と、回動プレート用リターンばね３２のリング部３５（図２）を係止するリターンばね用ボス部３６がそれぞれ後方に向かって突設されている。回動プレート用リターンばね３２の左端部３７は、ハウジング１の一対のリターンばね用係止リブ部１０、１０の間に係止されている。回動プレート用リターンばね３２は、その弾性力により回動プレート５を時計針の回転方向に付勢している。
【００３４】
次に、上記のように構成された可変入賞装置の作動を、通常時、不正行為時及びロック強制解除時に大別して説明する。
【００３５】
(I)   通常時
▲１▼  電磁ソレノイド３が消磁状態にあるとき
電磁ソレノイド３が励磁されていないときには、可変入賞装置は、図１（Ａ）、図３（Ａ）、図４（Ａ）にそれぞれ示すような状態となっている。
【００３６】
すなわち、回動プレート５は、回動プレート用リターンばね３２の付勢力により、時計針の回転方向の先端位置にある。この状態では、駆動ロッド部３０は開閉扉２の受動ロッド部１４を上方から押圧し、図示しないが開閉扉２の周縁部の後面が入賞口形成枠部７と当接し、開閉扉２は全閉状態となっている。
【００３７】
スライドプレート４は、電磁ソレノイド３のプランジャー１６がプランジャー用リターンばね１７の付勢力によって前進位置（右端位置）にあるため、右端位置にある。
【００３８】
回動プレート５の連結用リブ部３１は、スライドプレート４の連結用長穴２４の左端位置にある。また、ハウジング１の回動プレート用軸部９は、スライドプレート４のガイド孔２３の左端位置にある。
【００３９】
回動プレート５のロック用リブ部２２は、スライドプレート４の切欠部２１に収容されている。
【００４０】
スライドプレート４の傾斜面２６は、貫通孔４３の対向位置にある。
【００４１】
▲２▼  電磁ソレノイド３が励磁されたとき
開閉扉２が上記のような全閉状態の下で電磁ソレノイド３が励磁されると、磁気吸引力によりプランジャー１６はプランジャー用リターンばね１７の付勢力に抗して後退を開始する。このプランジャー１６の後退開始により、プランジャー１６のフランジ部１８及びスライドプレート４の壁部２０を介してスライドプレート４は左方向へ移動開始する。
【００４２】
このスライドプレート４の移動開始により、それまで連結用長穴２４の左端に位置していた連結用リブ部３１は相対的に連結用長穴２４内を右方向へ移動し、連結用長穴２４の右端と当接開始するようになる（図３（Ｂ）に示す状態に対応する。）。また、スライドプレート４の移動開始に伴い切欠部２１は左方向へ移動開始し、連結用リブ部３１が連結用長穴２４の右端と当接開始した時点で、図３（Ｂ）に示すように、ロック用リブ部２２を収容しなくなり、ロック用リブ部２２は切欠部２１から抜け出た状態となる。この間、回動プレート５は、図３（Ａ）に示した状態と同様な状態に維持され、開閉扉２は全閉状態を維持している。
【００４３】
連結用リブ部３１が上記のように連結用長穴２４の右端と当接開始した後は、プランジャー１６に作用する磁気吸引力が回動プレート５に作用する回動プレート用リターンばね３２の付勢力よりも大きくなるよう設定してあることから、スライドプレート４はさらに左方向へ移動する。
【００４４】
このスライドプレート４の移動により、回動プレート５は、連結用長穴２４及び連結用リブ部３１を介し、回動プレート用軸部９を中心として時計針の反回転方向へ回動開始する。
【００４５】
この回動プレート５の回動開始に伴い、駆動ロッド部３０は、時計針の反回転方向へ回動開始する、換言すると、上昇開始する。この駆動ロッド部３０の上昇開始に伴い受動ロッド部１４は上昇可能になり、駆動ロッド部３０の上昇に伴って開閉扉２は錘部１３の作用により回動軸部１１を中心として前方へ回動し開いてゆく。
【００４６】
そして、受動ロッド部１４が入賞口形成枠部７のストッパー面１２と当接した時点で開閉扉２はそれ以上開かなくなり、開閉扉２は全開状態となり、また、スライドプレート４の移動及び回動プレート５の回動はともに終了する（図１（Ｂ）、図３（Ｃ）に示す状態に対応する。）。
【００４７】
なお、回動プレート５が回動している間、ロック用リブ部２２はスライドプレート４と干渉することなく回動プレート用軸部９を中心として円運動をする。
【００４８】
▲３▼  電磁ソレノイド３が励磁状態から消磁されたとき
開閉扉２が上記のように全開した状態の下で、電磁ソレノイド３を消磁すると、それまでプランジャー１６に作用していた磁気吸引力が消失する。このため、回動プレート５に対して、回動プレート用リターンばね３２の付勢力のみが作用するようになり、また、スライドプレート４に対し、プランジャー用リターンばね１７の付勢力のみが作用するようになる。ここで、回動プレート用リターンばね３２の付勢力はプランジャー用リターンばね１７の付勢力と比べ十分に大きく設定してある。
【００４９】
このため、回動プレート５は、連結用リブ部３１が連結用長穴２４の右端と当接している状態の下で、時計針の回転方向へ回動開始する。この回動プレート５の回動に伴い、駆動ロッド部３０は受動ロッド部１４を押し下げ、開閉扉２は閉じてゆく。そして、開閉扉２の周縁部の後面が入賞口形成枠部７と当接し開閉扉２が全閉状態になると、回動プレート５は回動を終了する（図３（Ｂ）に示す状態に対応する。）。
【００５０】
その後、スライドプレート４は、プランジャー１６に作用しているプランジャー用リターンばね１７の付勢力により右方向へ移動し、可変入賞装置は、最終的に、図１（Ａ）及び図３（Ａ）に示す元の状態に戻る。
【００５１】
(II)  不正行為時
▲１▼  不正行為前
可変入賞装置は、上述したような、通常時において電磁ソレノイド３が消磁状態にあるときと同様な状態となっている（図４（Ａ）参照）。
【００５２】
▲２▼  不正行為時
電磁ソレノイド３が消磁状態にあるにもかかわらず、不正行為者がピアノ線、セル板等の不正道具５０を開閉扉２の上端と入賞口形成枠部７との隙間に侵入させ開閉扉２を開けようとした場合、受動ロッド部１４は駆動ロッド部３０を押し上げ回動プレート５は時計針の反回転方向へ回動しようとするが、ロック用リブ部２２が切欠部２１と当接することによって回動プレート５は回動を阻止される（図４（Ｂ）に示す状態に対応する。）。このため、開閉扉２は全閉状態に保持され、賞球を不正に獲得する行為を未然に防止できる。
【００５３】
(III)   ロック強制解除時
▲１▼  ロック強制解除前
可変入賞装置は、上述したような、通常時において電磁ソレノイド３が消磁状態にあるときと同様な状態となっている（図４（Ａ）参照）。
【００５４】
▲２▼  ロック強制解除時
上記のように全閉状態にある可変入賞装置に対し、遊技盤の前面から操作棒４０の先端部を挿通孔４２、挿通孔４３に順に通した後、傾斜面２６に押し当て、プランジャー用リターンばね１７の付勢力に抗してスライドプレート４を左方向へ移動させる。これにより、ロック用リブ部２２が切欠部２１から抜け出てロック状態が解除され、回動プレート５の回動が可能になる。そして、他方の手で開閉扉２を前方へ回動させて開閉扉２を開ける。
【００５５】
以上説明したように、本実施形態による可変入賞装置の防犯機構は、入賞口６を開閉する開閉扉２と、往復動可能な駆動源（電磁ソレノイド）３と、駆動源３の動きに連動して直線的に往復動可能なスライドプレート４と、スライドプレート４に連結手段（連結用長穴２４及び連結用リブ部３１）を介して連結可能とされ、連結時にスライドプレート４の往復動に応じて固定位置（回動プレート用軸部９）を中心として揺動し、開閉扉２を開閉動作させる回動プレート５と、スライドプレート４の往復動作を回動プレート５の揺動動作に変換伝達し得る連結手段２４、３１と、開閉扉２の全閉時、両プレート４、５の相対的位置に基づいて回動プレート５をロック可能にするロック手段（切欠部２１及びロック用リブ部２２）とを備え、全閉状態にある開閉扉２に対して外部から開方向への力が作用したとき、ロック手段２１、２２により回動プレート５の回動が阻止され、また、全閉状態にある開閉扉２が、スライドプレート４の作動（左方向への移動）が契機となる動作によって全開状態へと移行する初期期間（図３（Ａ）の状態から図３（Ｂ）の状態への移行期間）に、連結手段２４、３１は両プレート４、５間を非連結状態に保ち、スライドプレート４が移動して両プレート４、５の相対的位置が変位することによってロック手段２１、２２のロック機能が解除され、この初期期間経過後、連結手段２４、３１は両プレート４、５間を連結し、スライドプレート４のさらなる移動により回動プレート５は回動を開始して開閉扉２が全開するよう構成される。
【００５６】
このため、全閉状態にある開閉扉２に外部から開方向への力が作用しても、ロック手段２１、２２によって回動プレート５の回動が阻止されるため、開閉扉２は開かない。一方、通常の動作によって開閉扉２を開ける際には、その初期期間にロック手段２１、２２のロック機能が解除され、その後、回動プレート５が回動を開始して開閉扉２が開くため、開閉扉２を通常通りに開けることができる。
【００５７】
また、両プレート４、５は重なり合うように配されているため、装置の小型化を図ることができる。
【００５８】
また、連結手段２４、３１は、スライドプレート４に設けられた連結用長穴２４と回動プレート５に立設され連結用長穴２４内に移動可能に収容される連結用突起部（連結用リブ部３１）とからなるため、連結手段を両プレート４、５とは別体に設ける場合に比べ、部品点数の減少を図ることができる。
【００５９】
また、ロック手段２１、２２は、スライドプレート４に設けられた係合部（切欠部２１）と、回動プレート５に設けられた係合部（ロック用リブ部２２）とからなり、スライドプレート４の係合部２１は、回動プレート５の係合部２２のロック解除方向側に配置され、回動プレート５のロック解除方向への回動を阻止するよう構成したことにより、ロック手段２１、２２を両プレート４、５とは別体に設ける場合に比べ、部品点数の減少を図ることができる。
【００６０】
また、スライドプレート４は、開閉扉２の全閉時に外部から操作力を受けるとスライドプレート４を移動可能にするロック強制解除部（傾斜面２６）を有するよう構成したことにより、球詰まりが発生したときの対応として通常行われるホールの店員の行為において、開閉扉を強制的に開けて適宜の個数の遊技球を入賞口に入れて賞球の払出を行う行為が可能になる。
【００６１】
ここで、ロック強制解除部は、挿通孔４２、４３と操作棒４０によって操作可能な傾斜面２６とにより構成したことにより、操作棒４０で傾斜面２６を押すことによってスライドプレート４の係合部２１を元の位置（回動プレート５の係合部２２のロック解除方向側の位置）から変位させることが可能になり、これにより回動プレート５の係合部２２のロック解除方向への回動が可能となり、ロック状態を解除することができる。このとき、操作棒４０で傾斜面２６を押しただけでは開閉扉２が自動的には開かないよう構成したことにより、不正行為者が遊技盤の前方のガラス板を開けて操作棒４０を利用しない限り開閉扉２を開けることができず、防犯機能を十分に発揮することができる。
【００６２】
なお、連結用長穴２４を回動プレート５側に、連結用リブ部３１をスライドプレート４側にそれぞれ設けても上記実施形態と同様の作用を発揮し得る。また、開閉扉２の受動ロッド部１４を前後方向に沿って設けるとともに、スライドプレート４、回動プレート５及び電磁ソレノイド３を前後方向に沿って設けるようにしても、上記実施形態と同様の作用を発揮し得る。
【００６３】
【発明の効果】
本発明によると、外部から可変入賞装置の開閉扉を開けようとしても開閉扉が開かず不正行為を防止することができる。
【図面の簡単な説明】
【図１】本発明の一実施形態に係る可変入賞装置の要部の背面図であり、図１（Ａ）は、開閉扉の全閉時に対応する背面図、図１（Ｂ）は、開閉扉の全開時に対応する背面図をそれぞれ示す。
【図２】上記可変入賞装置の要部の分解斜視図を示す。
【図３】上記可変入賞装置の通常の一連の動作を説明するための動作説明図を示す。
【図４】上記可変入賞装置に対し不正行為が行われたときの動作説明図を示す。
【図５】ロック強制解除部の動作を説明するための要部斜視図を示す。
【図６】従来の可変入賞装置の問題点を説明するための説明図を示す。
【符号の説明】
２    開閉扉
３    駆動源（電磁ソレノイド）
４    スライドプレート
５    回動プレート
６    入賞口
２１、２２    ロック手段（係合部）
２４    連結手段（連結用長穴）
３１    連結手段（連結用突起部）
２６    ロック強制解除部（傾斜面）
４０    操作棒
４２、４３    ロック強制解除部（挿通孔）
【図１】
0003721501.tif 000002
【図２】
0003721501.tif 000003
【図３】
0003721501.tif 000004
【図４】
0003721501.tif 000005
【図５】
0003721501.tif 000006
【図６】
0003721501.tif 000007